(57)【要約】【課題】プラグが挿入接続されるジャック本体３０を、基板３１に形成された切り欠き部３２に収める形態で実装するミッドマウントタイプのジャック装置において、ジャック本体３０を基板３１から引き離そうとする外力に対して有利な構造を保ちながら、基板３１に対する実装面を変えても向きが逆にならないジャック装置を提供する。【解決手段】ジャック本体３０の側部から突出される実装端子３３ａ，３３ｂを設け、この実装端子の先端部を基板３１に形成された穴３４ａ，３４ｂに差し込んで裏側から固定する構造とし、この構造において実装端子は、先端部が下方に折り曲げられる第１の実装端子３３ａと、先端部が上方に折り曲げられる第２の実装端子３３ｂとにより構成されるものとする。【選択図】　図１
2004087199.tif 000002
【特許請求の範囲】
【請求項１】
プラグが挿入接続されるジャック本体を、基板に形成された切り欠き部に収める形態で実装するミッドマウントタイプのジャック装置であって、
上記ジャック本体の側部から突出される実装端子を設け、この実装端子の先端部を上記基板に形成された穴に差し込んで裏側から固定する構造とし、
かつこの構造において上記実装端子は、先端部が互いに逆方向に折り曲げられる第１の実装端子と第２の実装端子とにより構成されていることを特徴とするジャック装置。
【請求項２】
上記基板には、上記穴に差し込まれた実装端子の先端部を半田付けによって固定するための第１のランドが設けられていると共に、上記穴に差し込まれない実装端子を半田付けによって固定するための第２のランドが上記第１のランドと反対側の面に設けられていることを特徴とする請求項１に記載のジャック装置。
【発明の詳細な説明】
【０００１】
【発明の属する技術分野】
本発明は、各種電子機器においてプラグが挿入接続されるジャック装置に関し、特にジャックの実装形態としてジャック本体を基板の切り欠き部に収める形態で実装するミッドマウントタイプのジャック装置に係るものである。
【０００２】
【従来の技術】
先ず図４において、ジャックを備えた電子機器の一例を示す。
この例では電子機器として携帯用の小型ディスクプレーヤ１を示しており、２はプレーヤ本体、３は蓋体、４は釦操作部、５は表示部である。蓋体３はプレーヤ本体２に対し開閉回動自在に取り付けられており、この蓋体３を開いてプレーヤ本体２のディスク装着部にディスクカートリッジを挿入装着し、釦操作部４の釦を操作することによってディスクの記録再生が行なわれるものである。
【０００３】
そしてこのディスクプレーヤ１においては、プレーヤ本体２の側面にジャック６及び７が設けられており、ここでジャック６はヘッドホン及びリモコン用、ジャック７はＵＳＢ接続用のジャックで、夫々には対応するプラグ８及び９が挿入接続されるようになっている。
【０００４】
近年、特にこのような携帯用の小型電子機器においては、機器の一層の薄型化を図るため、機器内部でのジャックの実装形態としてミッドマウントタイプのジャック装置が多く採用されている。
このミッドマウントタイプのジャック装置は、機器内部において電気回路基板のジャック実装部分を凹状に切り欠き、この切り欠き部にジャック本体を収める形態で実装するものである。
【０００５】
このミッドマウントタイプのジャック装置には、大別して表面実装タイプと差し込みタイプの二種類がある。
【０００６】
先ず表面実装タイプのジャック装置の例を図５に示す。
ここでは図４に示したディスクプレーヤ１に設けられたヘッドホン及びリモコン用のジャック６を例示して説明する。
１０はジャック本体であり、このジャック本体１０の正面の開口部１０ａ，１０ｂからヘッドホン及びリモコン用のプラグが挿入接続される。このジャック本体１０は機器内部において電気回路基板１１にミッドマウント形態で実装されており、即ちこの構成では電気回路基板１１におけるジャック本体１０の実装部分が凹状に切り欠かれていて、この切り欠き部１２にジャック本体１０を収める状態で実装するものである。
【０００７】
ここでジャック本体１０は、その側面及び後側面から突出された複数の端子１３を、これに対応して電気回路基板１１の上面側に形成されたランド１４に半田付けして表面実装するようにしている。
【０００８】
このように構成される表面実装タイプのジャック装置は、実装されたジャック本体１０を電気回路基板１１から引き離そうとする外力Ｆが働くと、ジャック実装面と端子の半田付け面が同一のため、端子１３が半田付けされているランド１４が電気回路基板１１から簡単に剥離してしまう問題がある。
【０００９】
その対策としては、ジャック本体を機器のシャーシ等で支持して外力を受ける構造とする方法があるが、この場合シャーシの構造が複雑化して機器の小型化の妨げとなる問題があり、また図６に示す如く、ジャック本体１０の側面にリブ１５を設け、このリブ１５と端子１３との間で電気回路基板１１を挟み込む構造として外力を受ける方法もあるが、この場合はジャックの形状が複雑化すると共に端子の位置、形状などに制限が生じる問題がある。
【００１０】
これ対し差し込みタイプのジャック装置は、ジャック本体を電気回路基板から引き離そうとする外力に対して有利な構造となっている。
【００１１】
この差し込みタイプのジャック装置の例を図７及び図８に示す。
ここでは図４に示したディスクプレーヤ１に設けられたＵＳＢ接続用のジャック７を例示して説明する。
２０はジャック本体であり、このジャック本体２０の正面の開口部２０ａからＵＳＢ接続用のプラグが挿入接続される。
このジャック本体２０は機器内部において電気回路基板２１にミッドマウント形態で実装されており、即ち電気回路基板２１におけるジャック本体２０の実装部分は凹状に切り欠かれていて、この切り欠き部２２に収まる状態でジャック本体２０が実装される。
【００１２】
この構成においてジャック本体２０には、その側部から前後の実装端子２３ａ及び２３ｂが突出されている。この実装端子２３ａ及び２３ｂは夫々左右に一対ずつ計４本が設けられ、何れも先端部が下方に向かって略直角に折り曲げられており、この実装端子２３ａ及び２３ｂの先端部をこれに対応して電気回路基板２１に形成された穴２４ａ及び２４ｂに上方から差し込み、その裏側から半田付けによって固定する。この場合、電気回路基板２１の下面側には穴２４ａ及び２４ｂの周囲にランド２５ａ及び２５ｂが形成されており、このランド２５ａ及び２５ｂに実装端子２３ａ及び２３ｂの先端部を半田付けして固定する。
【００１３】
またジャック本体２０の後側面には、実装端子とは別に電気接続用の本端子２６が突出されており、この本端子２６はこれに対応して電気回路基板２１の上面側に形成されたランド２７に半田付けして接続される。
【００１４】
このような差し込みタイプのジャック装置は、ジャック実装面と実装端子の半田付け面が異なるため、ジャック本体２０を電気回路基板２１から引き離そうとする外力Ｆが働いてもランドが剥がれることはなく、本質的に表面実装タイプに比べ有利であると共に、ジャック本体に形状の制限がない等の利点がある。
【００１５】
【発明が解決しようとする課題】
しかしながら、上記のような従来の差し込みタイプのジャック装置は、電気回路基板上のジャック実装面を変えるとジャックの向きが逆になる不具合がある。即ち、図７ではジャック本体を電気回路基板の上面側から実装する場合を示したが、これと反対にジャック本体を電気回路基板の下面側から実装する場合は、ジャック本体を上下逆向きにして実装端子を下方から穴に差し込んで固定することになる。
このようにジャックの実装面を変えるとジャックの向きが逆になる構成では、機器の設計において大きな制約を受けることになり、非常に不都合なものとなる。
【００１６】
本発明は斯かる点に鑑みてなされたもので、ジャック本体を基板から引き離そうとする外力に対して有利な差し込みタイプのジャック装置でありながら、基板に対する実装面を変えても向きが逆にならないジャック装置を提供することを目的とする。
【００１７】
【課題を解決するための手段】
上記の目的を達成するために本発明は、プラグが挿入接続されるジャック本体を、基板に形成された切り欠き部に収める形態で実装するミッドマウントタイプのジャック装置であって、ジャック本体の側部から突出される実装端子を設け、この実装端子の先端部を基板に形成された穴に差し込んで裏側から固定する構造を有し、この構造において実装端子は、先端部が下方に折り曲げられる第１の実装端子と、先端部が上方に折り曲げられる第２の実装端子とにより構成されるものとする。
【００１８】
このように構成される本発明のジャック装置では、ジャック本体を基板の上面側から実装する場合は、先端部が下方に折り曲げられた第１の実装端子を上方から基板の穴に差し込んで裏側から固定し、またジャック本体を基板の下面側から実装する場合には、先端部が上方に折り曲げられた第２の実装端子を下方から基板の穴に差し込んで裏側から固定するようにする。こうすることにより、ジャックの実装面が基板の上下どちらの場合でもジャックの向きは変わることがない。
【００１９】
【発明の実施の形態】
以下、図１〜図３を参照しながら本発明の実施例について詳細に説明する。
ここでも、図４に示したディスクプレーヤ１に設けられたＵＳＢ接続用のジャック７を例示して説明する。
３０はジャック本体であり、このジャック本体３０の正面の開口部３０ａからＵＳＢ接続用のプラグが挿入接続される。
このジャック本体３０は機器内部において電気回路基板３１にミッドマウント形態で実装されており、即ち電気回路基板３１におけるジャック本体３０の実装部分は凹状に切り欠かれていて、この切り欠き部３２に収まる状態でジャック本体３０が実装される。
【００２０】
このジャック本体３０には、その側部から前後の実装端子３３ａ及び３３ｂが突出されている。この実装端子３３ａ及び３３ｂは夫々左右に一対ずつ計４本が設けられている。ここでは前方の実装端子３３ａを第１の実装端子とし、後方の実装端子３３ｂを第２の実装端子とする。
さらにジャック本体３０の後側面には、実装端子とは別に電気接続用の本端子３６が突出されている。
【００２１】
この構成において特に本発明では、第１の実装端子３３ａ及び第２の実装端子３３ｂは先端部が互いに逆方向に折り曲げられており、即ち本例では第１の実装端子３３ａの先端部は下方に向かって略直角に折り曲げられ、これに対し第２の実装端子３３ｂの先端部は上方に向かって略直角に折り曲げられた形状に形成されている。
【００２２】
そしてジャック本体３０を電気回路基板３１の上面側から実装する場合は、図１Ａ及び図２に示す如く、第１の実装端子３３ａの先端部をこれに対応して電気回路基板３１に形成された穴３４ａに上方から差し込み、その裏側から半田付けによって固定する。この場合、電気回路基板３１の下面側には穴３４ａの周囲にランド３５ａが形成されており、このランド３５ａに第１の実装端子３３ａの先端部を半田付けして固定する。
こうして電気回路基板の上面側から実装されたジャック装置は、その実装面と実装端子の半田付け面が異なるため、ジャック本体３０を電気回路基板３１から引き離そうとする外力Ｆが働いてもランドが剥がれることはなく、確実に実装状態が維持される。
【００２３】
このようにジャック本体３０を電気回路基板３１の上面側から実装する場合、電気接続用の本端子３６はこれに対応して電気回路基板３１の上面側に形成されたランド３７ａに半田付けして接続される。
【００２４】
さらにこの場合、電気回路基板３１の上面側に第２の実装端子３３ｂと対応するランド３８ａを形成しておき、このランド３８ａに第２の実装端子３３ｂを半田付けして固定するようにする。
【００２５】
一方、ジャック本体３０を電気回路基板３１の下面側から実装する場合は、図１Ｂ及び図３に示す如く、第２の実装端子３３ｂの先端部をこれに対応して電気回路基板３１に形成された穴３４ｂに下方から差し込み、その裏側から半田付けによって固定する。この場合、電気回路基板３１の上面側には穴３４ｂの周囲にランド３５ｂが形成されており、このランド３５ｂに第２の実装端子３３ｂの先端部を半田付けして固定する。
こうして電気回路基板の下面側から実装されたジャック装置は、その実装面と実装端子の半田付け面が異なるため、ジャック本体３０を電気回路基板３１から引き離そうとする外力Ｆが働いてもランドが剥がれることはなく、確実に実装状態が維持される。
【００２６】
このようにジャック本体３０を電気回路基板３１の下面側から実装する場合、電気接続用の本端子３６はこれに対応して電気回路基板３１の下面側に形成されたランド３７ｂに半田付けして接続される。
【００２７】
さらにこの場合、電気回路基板３１の下面側に第１の実装端子３３ａと対応するランド３８ｂを形成しておき、このランド３８ｂに第１の実装端子３３ａを半田付けして固定するようにする。
【００２８】
以上の構成では、穴３４ａ，３４ｂに差し込まれた実装端子の先端部を半田付けによって固定するためのランド３５ａ，３５ｂを第１のランドとし、穴に差し込まれない実装端子を半田付けによって固定するためのランド３８ａ，３８ｂを第２のランドとする。この第２のランド３８ａ，３８ｂは必須の構成ではないが、この第２のランド３８ａ，３８ｂでも実装端子を半田付けによって固定することにより、ジャック本体３０は一段と強固に固定され、より安定した状態で実装されるものである。
【００２９】
このようにして本例のジャック装置では、ジャック本体３０を電気回路基板３１に確実に実装することができ、ジャック本体３０を電気回路基板３１から引き離そうとする外力に抗する有利な構造を実現することができる。
そしてこの構成では、ジャック本体３０を電気回路基板３１の上下何れの面側からも実装することができ、この場合ジャック本体３０は電気回路基板３１の上下どちらの面側から実装される場合でも上下の向きが変わることはない。
【００３０】
このように本発明によるジャック装置では、差し込みタイプの利点である、ジャック本体を電気回路基板から引き離す方向の外力に対し有利な構造を保ちながら、ジャックの実装面を選ばないミッドマウントタイプのジャック装置を提供できるものである。
【００３１】
以上、本発明の実施例について説明したが、本発明はこの実施例に限定されるものではない。
例えば、上記実施例では第１の実装端子と第２の実装端子は夫々一対ずつ設けられているが、これを夫々複数対設けた構成としてもよい。この場合は、実装端子の数に応じて電気回路基板に形成される穴を増設すればよい。
さらにその他の各部においても、実施例の構成に限ることなく、種々の実施形態を採り得るものである。
【００３２】
【発明の効果】
以上の説明で明らかな如く本発明によれば、ジャック本体を基板から引き離そうとする外力に対して有利な差し込みタイプのジャック装置でありながら、基板に対する実装面を変えても向きが逆にならないジャック装置を提供することができる。その結果、機器の設計における自由度を大きく取ることができ、機器のさらなる小型薄型化に大きく貢献することができる。
【図面の簡単な説明】
【図１】本発明によるジャック装置の実施例を示す分解斜視図で、Ａはジャックを基板の上面側から実装する場合、Ｂは下面側から実装する場合である。
【図２】本発明によるジャックを基板の上面側から実装した状態を示す図で、Ａは上面図、Ｂは正面図、Ｃは下面図、Ｄは側面図である。
【図３】本発明によるジャックを基板の下面側から実装した状態を示す図で、Ａは上面図、Ｂは正面図、Ｃは下面図、Ｄは側面図である。
【図４】ジャックを備えた電子機器の一例を示すディスクプレーヤの斜視図である。
【図５】表面実装タイプのジャック装置の一例を示す図で、Ａは上面図、Ｂは正面図、Ｃは下面図である。
【図６】表面実装タイプのジャック装置の他の例を示す図で、Ａは上面図、Ｂは正面図、Ｃは下面図である。
【図７】差し込みタイプのジャック装置の一例を示す分解斜視図である。
【図８】図７のジャックを基板に実装した状態を示す図で、Ａは上面図、Ｂは正面図、Ｃは下面図である。
【符号の説明】
３０・・・・ジャック本体、３１・・・・基板、３２・・・・切り欠き部、３３ａ・・・・第１の実装端子、３３ｂ・・・・第２の実装端子、３４ａ，３４ｂ・・・・穴、３５ａ，３５ｂ・・・・第１のランド、３８ａ，３８ｂ・・・・第２のランド
【図１】
2004087199.tif 000003
【図２】
2004087199.tif 000004
【図３】
2004087199.tif 000005
【図４】
2004087199.tif 000006
【図５】
2004087199.tif 000007
【図６】
2004087199.tif 000008
【図７】
2004087199.tif 000009
【図８】
2004087199.tif 000010